(57)【要約】【解決手段】カブトムシ１の実物角３に似た擬似角７を有する角カバー６をその実物角３に対し着脱可能に装着すると、角カバー６が実物角３を上方から覆う。【効果】擬似角７の形態や模様や色などを変えたり擬似角７に文字を付したりすれば、カブトムシ１の飼育時や観賞時にカブトムシ１を識別することができる。擬似角７を軟質材により成形したり、硬質材により成形した擬似角７に丸みを持たせたりすれば、カブトムシ１の飼育者や観賞者などが指で実物角３に触れても指を枝角に触れるおそれが少なくなり、飼育時や観賞時の安全性を高めることができる。カブトムシ１の実物角３に対し擬似角７を着脱させれば、形態や模様や色や文字などの異なる擬似角７に交換することができるので、カブトムシ１の識別性を高めることができる。【選択図】図１
2013236552.tif 000002
【特許請求の範囲】
【請求項１】
カブトムシの頭部から前方へ延びる実物角に支持される擬似角を有し、その擬似角により、前記実物角において頭部から前方へ延びる一本の主角から二股状に延びる枝角を上方から覆うことを特徴とするカブトムシの角カバー。
【請求項２】
前記擬似角は、前記実物角の主角に支持される支持部と、前記実物角の枝角を上方から覆うようにその支持部から前方へ延びる二股部とを有していることを特徴とする請求項１に記載のカブトムシの角カバー。
【請求項３】
前記擬似角の支持部は、前記実物角の主角を上方から覆う基部と、その基部の下側に設けられてその主角を挟んで支持する挟持部とを有し、前記擬似角の二股部はこの基部から前方へ延びていることを特徴とする請求項２に記載のカブトムシの角カバー。
【請求項４】
前記支持部の挟持部は、筒状をなし、前記実物角の主角を挟んで支持する両腕部と、その両腕部の下端縁部間に設けられて前記実物角の主角を通す切込みとを有していることを特徴とする請求項３に記載のカブトムシの角カバー。
【請求項５】
前記擬似角の二股部は、一対の枝角を上方から覆う一対の枝部を有し、その両枝部間に指掛凹部を有していることを特徴とする請求項２〜４のうちいずれか一つの請求項に記載のカブトムシの角カバー。
【請求項６】
前記擬似角は軟質材により成形されていることを特徴とする請求項１〜５のうちいずれか一つの請求項に記載のカブトムシの角カバー。
【請求項７】
前記擬似角はカブトムシの実物角に対し着脱可能に支持されていることを特徴とする請求項１〜６のうちいずれか一つの請求項に記載のカブトムシの角カバー。
【発明の詳細な説明】
【技術分野】
【０００１】
本発明は、カブトムシの頭部から前方へ延びる実物角に支持される角カバーに関するものである。
【背景技術】
【０００２】
下記の特許文献１ではカブトムシに各種の模様などが塗料などにより描かれている。
【先行技術文献】
【特許文献】
【０００３】
【特許文献１】特開２００５−５２０６４号公報
【発明の概要】
【発明が解決しようとする課題】
【０００４】
カブトムシに各種の模様などを描くと、カブトムシに観賞用としての付加価値を付けたりカブトムシを識別したりすることはできる。しかし、カブトムシに模様などを塗料などにより直接的に描いた場合や、その模様などを描き直すために消したりする場合に、使用する塗料や薬剤によってはカブトムシを弱らせるおそれがあった。
【０００５】
また、カブトムシの実物角は露出したままであるので、カブトムシの飼育者や観賞者などが指で実物角に触れると、実物角の先端側で二股状に分かれた一対の枝角により指を傷付けるおそれがあった。
【０００６】
この発明は、カブトムシに模様などを塗料などにより直接的に描くことなく、カブトムシの識別性を高めるとともに、カブトムシの飼育時や観賞時に安全性を高めることを目的としている。
【課題を解決するための手段】
【０００７】
後記実施形態の図面（図１〜２）の符号を援用して本発明を説明する。
請求項１の発明にかかるカブトムシ（１）の角カバー（６）においては、カブトムシ（１）の頭部（２）から前方へ延びる実物角（３）に支持される擬似角（７）を有し、その擬似角（７）により、前記実物角（３）において頭部（２）から前方へ延びる一本の主角（４）から二股状に延びる枝角（５）を上方から覆う。
【０００８】
請求項１の発明では、擬似角（７）の形態や模様や色などを変えたり擬似角（７）に文字を付したりしてカブトムシ（１）を識別することができる。また、カブトムシ（１）の実物角（３）における二股状の枝角（５）を擬似角（７）により上方から覆うことができるので、擬似角（７）を請求項６の発明のように軟質材により成形したり、硬質材により成形した擬似角（７）に丸みを持たせたりすれば、カブトムシ（１）の飼育者や観賞者などが指で実物角（３）に触れても指を枝角（５）に触れるおそれが少なくなり、安全性を高めることができる。
【０００９】
請求項１の発明を前提とする請求項２の発明において、前記擬似角（７）は、前記実物角（３）の主角（４）に支持される支持部（８）と、前記実物角（３）の枝角（５）を上方から覆うようにその支持部（８）から前方へ延びる二股部（９）とを有している。請求項２の発明では、擬似角（７）を支持部（８）と二股部（９）とに分けたので、実物角（３）の枝角（５）を上方から覆った二股部（９）を支持部（８）により実物角（３）の主角（４）に対し容易に支持することができる。
【００１０】
請求項２の発明を前提とする請求項３の発明において、前記擬似角（７）の支持部（８）は、前記実物角（３）の主角（４）を上方から覆う基部（１０）と、その基部（１０）の下側に設けられてその主角（４）を挟んで支持する挟持部（１１）とを有し、前記擬似角（７）の二股部（９）はこの基部（１０）から前方へ延びている。請求項３の発明では、支持部（８）を基部（１０）と挟持部（１１）とに分けたので、実物角（３）の主角（４）を上方から覆った基部（１０）を挟持部（１１）により実物角（３）の主角（４）に対し容易に支持することができる。
【００１１】
請求項３の発明を前提とする請求項４の発明において、前記支持部（８）の挟持部（１１）は、筒状をなし、前記実物角（３）の主角（４）を挟んで支持する両腕部（１３）と、その両腕部（１３）の下端縁部間に設けられて前記実物角（３）の主角（４）を通す切込み（１４）とを有している。請求項４の発明では、挟持部（１１）を実物角（３）の主角（４）に対し容易に支持することができる。
【００１２】
請求項２〜４のうちいずれか一つの請求項の発明を前提とする請求項５の発明において、前記擬似角（７）の二股部（９）は、一対の枝角（５）を上方から覆う一対の枝部（１５）を有し、その両枝部（１５）間に指掛凹部（１６）を有している。請求項５の発明では、二股部（９）の指掛凹部（１６）に指を掛けてカブトムシ（１）を安全かつ容易に持ち上げることができる。
【００１３】
請求項１〜５のうちいずれか一つの請求項の発明を前提とする請求項６の発明において、前記擬似角（７）は軟質材により成形されている。請求項６の発明では、軟質材の擬似角（７）は飼育時及び観賞時の安全性や実物角（３）に対する装着の容易性をより一層高めることができる。
【００１４】
請求項１〜６のうちいずれか一つの請求項の発明を前提とする請求項７の発明において、前記擬似角（７）はカブトムシ（１）の実物角（３）に対し着脱可能に支持されている。請求項７の発明では、形態や模様や色や文字などの異なる擬似角（７）に交換することができる。
【発明の効果】
【００１５】
本発明は、カブトムシ（１）の実物角（３）に支持される擬似角（７）を有する角カバー（６）を採用して、カブトムシ（１）に模様などを塗料などにより直接的に描くことなく、カブトムシ（１）の飼育時や観賞時に、カブトムシ（１）の識別性を高めるとともに、安全性を高めることができる。
【図面の簡単な説明】
【００１６】
【図１】（ａ）は角カバーを装着する前のカブトムシを示す斜視図であり、（ｂ）は角カバーを装着したカブトムシを示す斜視図である。
【図２】（ａ）は角カバーを示す図１（ｂ）の部分平面図であり、（ｂ）は角カバーを示す図１（ｂ）の部分底面図であり、（ｃ）は角カバーを示す（ａ）のＡ−Ａ線断面図であり、（ｄ）は角カバーを示す（ａ）のＢ−Ｂ線断面図であり、（ｅ）は角カバーをデザイン化した一例を示す平面図である。
【発明を実施するための形態】
【００１７】
以下、本発明の一実施形態にかかるカブトムシの角カバーについて図１〜２を参照して説明する。
図１（ａ）に示すカブトムシ１において実物角３は、頭部２の中央から前方へ延びる一本の主角４と、その主角４から二股状に延びる枝角５とを有している。二股状の枝角５の先端部はそれぞれさらに二股状に分かれている。
【００１８】
図１（ａ）に示す擬似角７を有する角カバー６は、シリコーンゴムやエチレンプロピレンゴムなどの合成ゴムである軟質材により成形され、弾性を有している。図２（ａ）（ｂ）に示す擬似角７は、支持部８と、その支持部８から前方へ延びる二股部９とを有している。擬似角７の支持部８は、基部１０と、その基部１０の下側に設けられた挟持部１１とを有している。図２（ｃ）（ｄ）に示すように、挟持部１１は、貫通孔１２により筒状をなし、その貫通孔１２を挟む両腕部１３と、その両腕部１３の下端縁部間に設けられて貫通孔１２に連通する切込み１４とを有している。擬似角７の二股部９は、支持部８の基部１０から前方へ延び、一対の枝部１５を有している。二股部９の枝部１５の先端部はそれぞれさらに二股状に分かれている。両枝部１５間には指掛凹部１６が設けられている。なお、擬似角７を有する角カバー６は例えば図２（ｅ）に示すように各種の形態や模様や色でデザイン化することができる。
【００１９】
次に、角カバー６をカブトムシ１の実物角３に装着して使用する場合について述べる。
支持部８の挟持部１１において切込み１４で両腕部１３を弾性に抗して互いに開き、実物角３の主角４を切込み１４から貫通孔１２に押し込むと、図２（ａ）（ｂ）（ｃ）（ｄ）に示すように実物角３の主角４が両腕部１３間で弾性により挟持されて擬似角７の支持部８が実物角３の主角４に支持され、図１（ｂ）に示すように角カバー６をカブトムシ１に装着することができる。その装着状態では、実物角３の主角４を支持部８の基部１０が上方から覆うとともに、実物角３の両枝角５を二股部９の両枝部１５が上方から覆う。
【００２０】
本実施形態は下記の効果を有する。
（１）  カブトムシ１の実物角３に似た擬似角７を採用して、その擬似角７の形態や模様や色などを変えたり擬似角７に文字を付したりすれば、カブトムシ１に模様などを塗料などにより直接的に描くことなく、カブトムシ１の飼育時や観賞時にカブトムシ１を識別することができる。
【００２１】
（２）  カブトムシ１の実物角３における二股状の枝角５を擬似角７の二股部９により上方から覆うことができるので、擬似角７を軟質材により成形したり、硬質材により成形した擬似角７に丸みを持たせたりすれば、カブトムシ１の飼育者や観賞者などが指で実物角３に触れても指を枝角５に触れるおそれが少なくなり、飼育時や観賞時の安全性を高めることができる。
【００２２】
（３）  軟質材により成形した擬似角７により、飼育時及び観賞時の安全性や実物角３に対する装着の容易性を高めることができる。
（４）  カブトムシ１の実物角３に対し擬似角７を着脱させて、形態や模様や色や文字などの異なる擬似角７に交換することができるので、カブトムシ１の識別性を高めることができる。
【００２３】
前記実施形態以外にも例えば下記のように構成してもよい。
・  擬似角７の材質としては、特に限定せず、合成ゴムや天然ゴムやエラストマや発泡体や織布や不織布などの軟質材ばかりでなく、金属やプラスチックなどの硬質材であってもよい。
【００２４】
・  擬似角７の支持部８においては、擬似角７の二股部９で実物角３の枝角５を上方から覆って指を保護することができれば、基部１０で実物角３の主角４を必ずしも上方から覆う必要がないため、支持部８をクリップにしたり、支持部８に接着性を持たせたりして、擬似角７をカブトムシ１の実物角３に対し着脱可能に支持することができる。
【符号の説明】
【００２５】
１…カブトムシ、２…カブトムシの頭部、３…カブトムシの実物角、４…実物角の主角、５…実物角の枝角、６…角カバー、７…擬似角、８…擬似角の支持部、９…擬似角の二股部、１０…支持部の基部、１１…支持部の挟持部、１２…挟持部の貫通孔、１３…挟持部の腕部、１４…挟持部の切込み、１５…二股部の枝部、１６…二股部の指掛凹部。
【図１】
2013236552.tif 000003
【図２】
2013236552.tif 000004